(57)【要約】【課題】  電子メール中の任意の位置に配置された絵文字を用いて視覚的に表現豊かな電子メールを再生する。【解決手段】  電子メールＥ０を受信すると、コンテンツ分離部１２が電子メールＥ０をテキスト部分Ｔ０およびコンテンツＣ０に分離する。絵文字判定部１３がテキスト部分Ｔ０に絵文字が含まれるか否かを判定し、絵文字が含まれる場合、絵文字に応じた視覚的効果を含む所定の効果をテキスト部分Ｔ０に付与して電子メールＥ０を加工する。加工済みの電子メールＥ１は表示部１５に表示される。【選択図】          図１
2005250652.tif 000002
【特許請求の範囲】
【請求項１】
電子メールを再生する再生手段と、
該電子メールのテキスト部分に絵文字が含まれるか否かを判定する判定手段と、
前記絵文字が含まれると判定された場合に、前記電子メールのテキスト部分および／または該電子メールに添付されたコンテンツに前記絵文字に対応する視覚的効果を含む所定の効果を付与して、該効果が付与された前記テキスト部分および／または前記コンテンツを前記再生手段に再生するよう前記電子メールを加工する加工手段とを備えたことを特徴とする電子メール再生装置。
【請求項２】
各種絵文字と該各種絵文字に対応する所定の効果を付与するための処理内容との関係を記憶する記憶手段をさらに備え、
前記加工手段は、前記関係を参照して前記電子メールを加工する手段であることを特徴とする請求項１記載の電子メール再生装置。
【請求項３】
前記コンテンツは、静止画像、動画像およびマルチメディア画像のいずれかであることを特徴とする請求項１または２記載の電子メール再生装置。
【請求項４】
電子メールのテキスト部分に絵文字が含まれるか否かを判定し、
前記絵文字が含まれると判定された場合に、前記電子メールのテキスト部分および／または該電子メールに添付されたコンテンツに前記絵文字に対応する視覚的効果を含む所定の効果を付与して前記電子メールを加工し、
該加工済みの電子メールを再生することを特徴とする電子メール再生方法。
【請求項５】
電子メールのテキスト部分に絵文字が含まれるか否かを判定する手順と、
前記絵文字が含まれると判定された場合に、前記電子メールのテキスト部分および／または該電子メールに添付されたコンテンツに前記絵文字に対応する視覚的効果を含む所定の効果を付与して前記電子メールを加工する手順と、
該加工済みの電子メールを再生する手順とを有することを特徴とする電子メール再生方法をコンピュータに実行させるためのプログラム。
【発明の詳細な説明】
【技術分野】
【０００１】
本発明は電子メールを再生する電子メール再生装置および方法並びに電子メール再生方法をコンピュータに実行させるためのプログラムに関するものである。
【背景技術】
【０００２】
カメラ付き携帯電話機等の携帯端末装置の機能の向上は著しく、通信速度の向上とも相まって、静止画像や動画像を撮影し、撮影した画像を電子メールに添付して送受信することが日常的に行われている。また、電子メールのテキスト部分に、一般的な文字コードに対応していない絵文字を、通常の文字と同様に含ませることも行われている。このような絵文字を電子メールのテキスト部分に含めることにより、電子メールを表現豊かなものとすることができる。
【０００３】
このような絵文字を用いて文章を作成する際に、絵文字を他の文字と同様に記述する手法が提案されている（特許文献１参照）。また、絵文字は文字コードでないため、電子メールを作成した装置と再生する装置とが異なると、絵文字が表示できなくなるおそれがある。このため、異なる携帯電話間において絵文字を使用可能とするために、受信した電子メールに自身の携帯電話において表示できない絵文字が使用されている場合に、その部分に所定のアイコンを表示し、アイコンをクリックすることによりメールサーバからその絵文字を受信するようにしたシステムが提案されている（特許文献２参照）。
【０００４】
さらに、電子メールに絵文字が含まれている場合に、その絵文字に対応する音声を出力するようにした携帯端末装置も提案されている（特許文献３参照）。また、電子メールの末尾に付与された絵文字に反応してキャラクタが携帯端末装置の画面内において、絵文字に応じたアクションを行うサービスも提供されている（非特許文献１参照）。このような携帯端末装置を用いることにより、電子メールのやりとりをより楽しいものとすることができる。
【特許文献１】特開平１１−２９６５１６号公報
【特許文献２】特開２００３−１１４８４４号公報
【特許文献３】特開２００３−１５０５０７号公報
【非特許文献１】http://505i.nttdocomo.co.jp/simulation/mail.html（２００３年９月５日）
【発明の開示】
【発明が解決しようとする課題】
【０００５】
しかしながら、上記特許文献３に記載された携帯端末装置においては、絵文字に対応した音声のみしか出力されないため、視覚的に電子メールを楽しむことができない。これに対して、上記非特許文献１に記載された携帯端末装置においては、キャラクタが絵文字に応じたアクションを行うため、視覚的に電子メールを楽しむことができる。しかしながら、非特許文献１に記載された携帯端末装置においては、絵文字を電子メールの末尾にのみしか付与することができないため、電子メール作成者がメール中の所望とする位置に絵文字を配置できないという問題がある。
【０００６】
本発明は上記事情に鑑みなされたものであり、電子メール中の任意の位置に配置された絵文字を用いて視覚的に表現豊かな電子メールを再生することを目的とする。
【課題を解決するための手段】
【０００７】
本発明による電子メール再生装置は、電子メールを再生する再生手段と、
該電子メールのテキスト部分に絵文字が含まれるか否かを判定する判定手段と、
前記絵文字が含まれると判定された場合に、前記電子メールのテキスト部分および／または該電子メールに添付されたコンテンツに前記絵文字に対応する視覚的効果を含む所定の効果を付与して、該効果が付与された前記テキスト部分および／または前記コンテンツを前記再生手段に再生するよう前記電子メールを加工する加工手段とを備えたことを特徴とするものである。
【０００８】
なお、本発明による電子メール再生装置においては、各種絵文字と該各種絵文字に対応する所定の効果を付与するための処理内容との関係を記憶する記憶手段をさらに備えるものとし、
前記加工手段を、前記関係を参照して前記電子メールを加工する手段としてもよい。
【０００９】
また、本発明による電子メール再生装置においては、前記コンテンツを、静止画像、動画像およびマルチメディア画像のいずれかとしてもよい。
【００１０】
「マルチメディア画像」とは、複数のフレームをコマ送り表示させつつ音声と同期させながらインタラクティブに表示可能なフォーマットの画像を意味し、例えばMacromedia社が開発したＦｌａｓｈ（登録商標）を用いることができるがこれに限定されるものではない。また、音声と同期させないフォーマットも「マルチメディア画像」に含めるものとする。
【００１１】
Ｆｌａｓｈとは、音声やベクターグラフィックスのアニメーションを組み合わせたＷｅｂ表示用ベクトル型グラフィックアニメーションであり、ＳＷＦというファイルフォーマットで表現され、ベクトル表現された図形や写真等のグラフィックスアニメーション等を音声と同期させながら表示画面上においてインタラクティブに表示することができる。このようなＦｌａｓｈを用いることにより、複数のフレームがコマ送り表示されるマルチメディア画像を生成することができる。
【００１２】
本発明による電子メール再生方法は、電子メールのテキスト部分に絵文字が含まれるか否かを判定し、
前記絵文字が含まれると判定された場合に、前記電子メールのテキスト部分および／または該電子メールに添付されたコンテンツに前記絵文字に対応する視覚的効果を含む所定の効果を付与して、前記電子メールを加工し、
該加工済みの電子メールを再生することを特徴とするものである。
【００１３】
なお、本発明による電子メール再生方法をコンピュータに実行させるためのプログラムとして提供してもよい。
【発明の効果】
【００１４】
本発明によれば、電子メールのテキスト部分に絵文字が含まれる場合、電子メールのテキスト部分および／または電子メールに添付されたコンテンツに、絵文字に対応する視覚的効果を含む所定の効果が付与されて電子メールが加工され、加工済みの電子メールが再生される。このため、電子メールのテキスト部分のどの位置に絵文字が含まれていても、その絵文字に対応した所定の効果を電子メールに付与することができ、これにより、視覚的に表現豊かな電子メールを再生することができる。
【００１５】
また、各種絵文字と各種絵文字に対応する所定の効果との関係を参照して電子メールを加工することにより、容易に電子メールを加工することができる。
【発明を実施するための最良の形態】
【００１６】
以下、図面を参照して本発明の実施形態について説明する。図１は本発明の電子メール再生装置を適用した携帯電話の構成を示す概略ブロック図である。図１に示すように、本実施形態による携帯電話１は、電子メールＥ０を受信する電子メール受信部１１と、電子メールＥ０に静止画像、動画像およびマルチメディア画像等のコンテンツＣ０が添付されている場合に、電子メールＥ０のテキスト部分Ｔ０とコンテンツＣ０とを分離するコンテンツ分離部１２と、テキスト部分Ｔ０に絵文字が含まれるか否かを判定する絵文字判定部１３と、絵文字が含まれている場合に、テキスト部分Ｔ０に所定の効果を付与することにより電子メールＥ０を加工して加工済みの電子メールＥ１を得る加工部１４と、加工済みの電子メールＥ１を表示する液晶モニタ等の表示部１５とを備える。
【００１７】
電子メール受信部１１は、インターネットに接続して携帯電話１のユーザ宛に送信された電子メールＥ０を受信する。
【００１８】
絵文字判定部１３は、電子メールＥ０のテキスト部分Ｔ０に絵文字が含まれているか否かを判定する。図２は絵文字が含まれた電子メールＥ０のテキスト部分Ｔ０を示す図である。図２に示すようにこの電子メールＥ０のテキスト部分Ｔ０には、「おはよ」の文字の後に「！」に似た絵文字Ｐ１が、「うちのまー君です」の後にハートの絵文字Ｐ２が、「今度連れて行くね」の後に笑った顔の絵文字Ｐ３が付与されている。
【００１９】
加工部１４は、テキスト部分Ｔ０に絵文字が含まれている場合に、絵文字に対応した所定の効果をテキスト部分Ｔ０および／またはコンテンツＣ０に付与することにより電子メールＥ０を加工する。ここで、加工部１４には各種絵文字と各種絵文字に対応する所定の効果を付与するための処理内容との関係をテーブルとして記憶する記憶部１６が接続されている。
【００２０】
図３はテーブルの例を示す図である。図３に示すように、このテーブルＴＢＬ１には、各種絵文字と各種絵文字に対応する所定の効果を電子メールＥ０に付与するための処理内容との関係が記述されている。このテーブルＴＢＬ１を参照することにより、絵文字Ｐ１が末尾に付与された文章には処理Ａ１を施すことにより絵文字Ｐ１に対応する所定の効果が付与される。また、絵文字Ｐ２が末尾に付与された文章には処理Ｂ１を施すことにより絵文字Ｐ２に対応する所定の効果が付与される。さらに、絵文字Ｐ３が末尾に付与された文章には処理Ｃ１を施すことにより絵文字Ｐ３に対応する所定の効果が付与される。
【００２１】
加工部１４はテーブルＴＢＬ１を参照して、テキスト部分Ｔ０を加工して加工済みのテキスト部分Ｔ１を生成することにより電子メールＥ０を加工する。
【００２２】
表示部１５には加工済みの電子メールＥ１が表示される。ここで、電子メールＥ０にコンテンツＣ０が添付されていた場合には、コンテンツＣ０も併せて表示部１５に表示される。
【００２３】
図４は表示部１５に表示される加工済みの電子メールＥ１の例を示す図である。なお、ここでは、電子メールＥ０には図２に示すテキスト部分Ｔ０が含まれ、コンテンツＣ０として赤ちゃんの顔の静止画像が添付されていたものとする。まず、図４（ａ）に示すように静止画像上にテキスト部分Ｔ０の１行目の「おはよ」の文字が絵文字Ｐ１に対応する所定の効果が付与されて表示される。具体的には、「おはよ」の文字および絵文字Ｐ１がギザギザの吹き出し中に含まれるような所定の効果が付与されて表示される。
【００２４】
次いで、テキスト部分Ｔ０の２行目の「うちのまー君です」の文字が絵文字Ｐ２に対応する所定の効果が付与されて表示される。具体的には、「うちのまー君です」の文字を複数のハートマークにより装飾する所定の効果が付与されて表示される。なお、先に表示された「おはよ」の文字は徐々に小さくなっていく。
【００２５】
そして最後にテキスト部分Ｔ０の３行目の「今度連れて行くね」の文字が絵文字Ｐ３に対応する所定の効果が付与されて表示される。具体的には、「今度連れて行くね」の文字が蛇行して表示されるように所定の効果が付与されて表示される。なお、先に表示された「うちのまー君です」の文字は徐々に小さくなっていく。
【００２６】
次いで、本実施形態の動作について説明する。図５は本実施形態において行われる処理を示すフローチャートである。なお、ここではコンテンツＣ０として静止画像が添付された電子メールＥ０が受信されたものとして説明する。携帯電話１が電子メールＥ０を受信すると処理を開始し、コンテンツ分離部１２が電子メールＥ０をテキスト部分Ｔ０とコンテンツＣ０とに分離する（ステップＳ１）。次いで絵文字判定部１３がテキスト部分Ｔ０に絵文字が含まれるか否かを判定する（ステップＳ２）。
【００２７】
ステップＳ２が肯定されると加工部１４がテキスト部分Ｔ０に対して絵文字に応じた所定の処理を施すことにより電子メールＥ０を加工して加工済みの電子メールＥ１を得る（ステップＳ３）。そして、表示部１５が加工済みの電子メールＥ１を再生して（ステップＳ４）、処理を終了する。
【００２８】
ステップＳ２が否定されると、加工部１４は何ら処理を行うことなく表示部１５に電子メールＥ０を出力し、これにより表示部１５が電子メールＥ０を再生して（ステップＳ５）、処理を終了する。
【００２９】
このように、本実施形態においては、電子メールＥ０のテキスト部分Ｔ０に絵文字が含まれる場合、電子メールＥ０のテキスト部分Ｔ０に絵文字に対応する視覚的効果を含む所定の効果を付与することにより電子メールＥ０を加工し、加工済みの電子メールＥ１を再生するようにしたため、電子メールＥ０のテキスト部分Ｔ０のどの位置に絵文字が含まれていても、その絵文字に対応した所定の効果を付与することができ、これにより、視覚的に表現豊かな電子メールを再生することができる。
【００３０】
また、各種絵文字と各種絵文字に対応する所定の効果との関係を表すテーブルＴＢＬ１を参照して電子メールＥ０を加工することにより、容易に電子メールＥ０を加工することができる。
【００３１】
なお、上記実施形態においては、電子メールＥ０のテキスト部分Ｔ０にのみ所定の効果を付与しているが、コンテンツＣ０にのみ、あるいはコンテンツＣ０にも所定の効果を付与してもよい。この場合、各種絵文字と各種絵文字に対応する所定の効果をコンテンツＣ０付与するための処理内容との関係を表すテーブルＴＢＬ２を記憶部１６に記憶しておき、これを参照することにより加工部１４がコンテンツＣ０に所定の効果を付与するようにすればよい。
【００３２】
図６はテーブルＴＢＬ２の例を示す図である。図６に示すように、このテーブルＴＢＬ２には、各種絵文字と各種絵文字に対応する所定の効果を付与するための処理内容との関係がコンテンツＣ０の内容毎に（静止画像、動画像、マルチメディア画像）記述されている。
【００３３】
加工部１４はテーブルＴＢＬ２を参照してコンテンツＣ０に所定の効果を付与する。例えば、テキスト部分Ｔ０にハートマークの絵文字Ｐ２が含まれている場合には、コンテンツＣ０を表示した際に、全体がピンク色がかったものとなるように、コンテンツＣ０に所定の効果を付与することにより電子メールＥ０を加工する。また、図７に示すようにハート形の模様の内部にコンテンツＣ０が含まれるようにコンテンツＣ０に所定の効果を付与することにより電子メールＥ０を加工してもよい。
【００３４】
なお、上記実施形態においては、テキスト部分Ｔ０および／またはコンテンツＣ０に、視覚的効果のみを所定の効果として付与しているが、絵文字に応じた口調によりテキスト部分Ｔ０を音声として読み上げる等、聴覚的な効果を視覚的効果と併せて付与することにより電子メールＥ０を加工してもよい。
【００３５】
以上、本発明の実施形態に係る装置１０について説明したが、コンピュータを、上記のコンテンツ分離部１２、絵文字判定部１３および加工部１４に対応する手段として機能させ、図５に示すような処理を行わせるプログラムも、本発明の実施形態の１つである。また、そのようなプログラムを記録したコンピュータ読取可能な記録媒体も、本発明の実施形態の１つである。
【図面の簡単な説明】
【００３６】
【図１】本発明の実施形態による電子メール再生装置を適用した携帯電話の構成を示す概略ブロック図
【図２】絵文字が含まれた電子メールのテキスト部分を示す図
【図３】テーブルの例を示す図
【図４】表示部に表示される加工済みの電子メールの例を示す図
【図５】本実施形態において行われる処理を示すフローチャート
【図６】テーブルの他の例を示す図
【図７】表示部に表示される加工済みの電子メールの他の例を示す図
【符号の説明】
【００３７】
１    携帯電話
１１  電子メール受信部
１２  コンテンツ分離部
１３  絵文字判定部
１４  加工部
１５  表示部
１６  記憶部
【図１】
2005250652.tif 000003
【図２】
2005250652.tif 000004
【図３】
2005250652.tif 000005
【図４】
2005250652.tif 000006
【図５】
2005250652.tif 000007
【図６】
2005250652.tif 000008
【図７】
2005250652.tif 000009